(57)【要約】【課題】白いゴミをも検知することができる画像読み取り装置を提供する。【解決手段】プラテンガラス３５は、原稿Ｐ側に位置する第１の主面ｓ１、及び、該第１の主面ｓ１に対向する第２の主面ｓ２を有する。面状光源３０は、第１の主面ｓ１側に設けられ、該第１の主面ｓ１上に原稿Ｐが存在しない状態において、プラテンガラス３５に対して光を照射する。ＣＣＤ３４は、第２の主面ｓ２側に設けられ、プラテンガラス３５を通過した光により、プラテンガラス３５の画像を撮像する。【選択図】図１
2009111812.tif 000002
【特許請求の範囲】
【請求項１】
原稿側に位置する第１の主面、及び、該第１の主面に対向する第２の主面を有する透明板と、
前記第１の主面側に設けられ、該第１の主面上に前記原稿が存在しない状態において、前記透明板に対して光を照射する光源と、
前記第２の主面側に設けられ、前記透明板を通過した光により、該透明板の画像を撮像する撮像手段と、
を備えること、
を特徴とする画像読み取り装置。
【請求項２】
前記撮像手段が撮像した前記透明板の画像に基づいて、該透明板上に異物が存在するか否かを判定する判定手段を、
更に備えること、
を特徴とする請求項１に記載の画像読み取り装置。
【請求項３】
前記第１の主面の読み取り位置を通過するように前記原稿を搬送する搬送手段を、
更に備え、
前記撮像手段は、前記読み取り位置を通過する前記原稿の画像を撮像すること、
を特徴とする請求項２に記載の画像読み取り装置。
【請求項４】
前記透明板を通過した光を反射して、前記撮像手段に導く反射部材を内蔵するスライダーと、
前記スライダーを移動させて、前記読み取り位置を移動させる移動手段と、
を更に備え、
前記移動手段は、前記判定手段が前記読み取り位置に異物が存在すると判定した場合には、該読み取り位置を移動させること、
を特徴とする請求項３に記載の画像読み取り装置。
【請求項５】
前記透明板を通過した光を反射して、前記撮像手段に導く反射部材を内蔵するスライダーと、
前記スライダーを移動させて、前記読み取り位置を移動させる移動手段と、
を更に備え、
前記移動手段は、前記複数のスライダーを移動させて、前記読み取り位置を移動させ、
前記撮像手段は、前記移動手段が前記読み取り位置を移動させている間に、前記透明板の画像を撮像し、
前記判定手段は、前記透明板の画像内において、最も異物が少ない位置を特定し、
前記移動手段は、前記最も異物が少ない位置に前記読み取り位置を移動させること、
を特徴とする請求項３又は請求項４のいずれかに記載の画像読み取り装置。
【請求項６】
前記光源は、面状光源であること、
を特徴とする請求項１ないし請求項５のいずれかに記載の画像読み取り装置。
【発明の詳細な説明】
【技術分野】
【０００１】
本発明は、画像読み取り装置、より特定的には、複写機やスキャナ等において画像入力装置として用いられる画像読み取り装置に関する。
【背景技術】
【０００２】
画像読み取り装置において、読み取り画像の品位向上のために、原稿の読み取り前に、プラテンガラス上におけるゴミの有無を検知している。このようなゴミの有無の検知は、具体的には、以下のような手法により行われている。図６は、従来のシートスルー方式の画像読み取り装置の構成図である。
【０００３】
まず、原稿読み取りのために設けられた露光ランプ１０２を点灯する。これにより、露光ランプ１０２からの光は、プラテンガラス１００を通過して、押え白板１０４を照射する。この後、光は、押え白板１０４において反射し、再度、プラテンガラス１００を通過して、図示しないミラーにより反射されて、図示しないＣＣＤ（Ｃｈａｒｇｅ  Ｃｏｕｐｌｅｄ  Ｄｅｖｉｃｅ）へと導かれる。これにより、押え白板１０４の画像が得られる。
【０００４】
ここで、プラテンガラス１００上にゴミＤが存在する場合には、露光ランプ１０２からの光の一部は、図６の矢印に示すように、押え白板１０４で反射するのではなく、ゴミＤで反射する。そして、ゴミＤで反射した光は、図示しないミラーにより反射されて、図示しないＣＣＤへと導かれる。これにより、ゴミＤが映った押え白板１０４の画像が得られる。図示しない制御部は、この画像を解析して、ゴミＤの有無を検知する（例えば、特許文献１参照）。
【０００５】
しかしながら、前記画像読み取り装置では、紙粉のような白いゴミがプラテンガラス１００上に存在する場合には、制御部は、ゴミＤの有無を正確に検知できないという問題がある。具体的には、前記画像読み取り装置では、ゴミＤにおいて反射した光をＣＣＤにて受光している。そのため、ゴミＤが白い場合には、押え白板１０４中に白いゴミＤが位置した画像が得られる。そのため、制御部は、該画像を解析しても、白いゴミＤと押え白板１０４とを区別することができず、該白いゴミＤを正確に検知することができない。その結果、シートスルー方式の画像読み取り装置において、画像読み取りを行った場合、図７に示す読み取り画像例に示すように、読み取り画像に白いスジが形成されてしまう。
【特許文献１】特開２０００−３４９９６４号公報
【発明の開示】
【発明が解決しようとする課題】
【０００６】
そこで、本発明の目的は、白いゴミをも正確に検知することができる画像読み取り装置を提供することである。
【課題を解決するための手段】
【０００７】
本発明は、画像読み取り装置において、原稿側に位置する第１の主面、及び、該第１の主面に対向する第２の主面を有する透明板と、前記第１の主面側に設けられ、該第１の主面上に前記原稿が存在しない状態において、前記透明板に対して光を照射する光源と、前記第２の主面側に設けられ、前記透明板を通過した光により、該透明板の画像を撮像する撮像手段と、を備えること、を特徴とする。
【０００８】
本発明によれば、透明板の第１の主面側から光を照射しているので、透明板上に異物が存在する場合には、異物は、透明板に黒い影を形成するようになる。したがって、本発明は、白いゴミが透明板上に存在する場合に、白いゴミの影を検知することにより、該白いゴミの存在を検知することが可能となる。
【０００９】
本発明において、前記撮像手段が撮像した前記透明板の画像に基づいて、該透明板上に異物が存在するか否かを判定する判定手段を、更に備えていてもよい。
【００１０】
本発明において、前記第１の主面の読み取り位置を通過するように前記原稿を搬送する搬送手段を、更に備え、前記撮像手段は、前記読み取り位置を通過する前記原稿の画像を撮像してもよい。
【００１１】
本発明において、前記透明板を通過した光を反射して、前記撮像手段に導く反射部材を内蔵するスライダーと、前記スライダーを移動させて、前記読み取り位置を移動させる移動手段と、を更に備え、前記移動手段は、前記判定手段が前記読み取り位置に異物が存在すると判定した場合には、該読み取り位置を移動させてもよい。
【００１２】
本発明において、前記透明板を通過した光を反射して、前記撮像手段に導く反射部材を内蔵するスライダーと、前記スライダーを移動させて、前記読み取り位置を移動させる移動手段と、を更に備え、前記移動手段は、前記複数のスライダーを移動させて、前記読み取り位置を移動させ、前記撮像手段は、前記移動手段が前記読み取り位置を移動させている間に、前記透明板の画像を撮像し、前記判定手段は、前記透明板の画像内において、最も異物が少ない位置を特定し、前記移動手段は、前記最も異物が少ない位置に前記読み取り位置を移動させてもよい。
【００１３】
本発明において、前記光源は、面状光源であってもよい。
【発明を実施するための最良の形態】
【００１４】
以下、本発明の一実施形態に係る画像読み取り装置の実施形態について添付図面を参照して説明する。
【００１５】
（画像読み取り装置の全体構成）
図１は、本発明の一実施形態である画像読み取り装置１の構成図である。この画像読み取り装置１は、読み取り位置Ａを通過するように原稿Ｐを搬送する原稿搬送手段としての原稿搬送部２と、読み取り位置Ａを搬送される原稿Ｐの画像を光学的に読み取る読み取り手段を含んだ画像読み取り部３とからなる。そして、画像読み取り装置１は、プラテンガラス３８上に載置された原稿Ｐの画像を読み取るプラテンセット方式と、原稿搬送部２によりプラテンガラス３５上を搬送される原稿Ｐの画像を読み取るシートスルー方式との２種類の画像読み取り方式を実行できる。なお、本実施形態では、シートスルー方式により画像読み取りが行われるので、プラテンセット方式についての説明を省略する。
【００１６】
以下では、説明の簡略のため、「原稿Ｐの搬送方向」を単に「搬送方向」と表記し、「原稿Ｐの搬送方向の上流側」を単に「上流側」と表記し、「原稿Ｐの搬送方向の下流側」を単に「下流側」と表記する。また、図１の紙面に垂直な方向を「主走査方向」と定義する。
【００１７】
まず、原稿搬送部２の構成について説明する。原稿搬送部２は、給紙トレイ２０、ピックアップローラ２１、さばきローラ２２、給紙ローラ２３、レジストローラ対２４、読み取り前ローラ対２５、読み取り後ローラ対２７、排紙ローラ対２８、排紙トレイ２９及び面状光源３０を備える。
【００１８】
給紙トレイ２０には、複数枚の原稿Ｐが載置される。ピックアップローラ２１は、複数枚の原稿Ｐの一部をピックアップする。さばきローラ２２及び給紙ローラ２３は、ピックアップローラ２１により複数枚の原稿Ｐがピックアップされた場合には１枚ずつにさばいて搬送する。レジストローラ対２４は、１枚ずつにさばかれて搬送されてきた原稿Ｐの斜行を補正して、読み取り前ローラ対２５に搬送する。読み取り前ローラ対２５は、プラテンガラス３５上に原稿Ｐを搬送する。読み取り後ローラ対２７は、プラテンガラス３５上を通過した原稿Ｐを排紙ローラ対２８へと搬送する。排紙ローラ対２８は、読み取り後ローラ対２７から搬送されてきた原稿Ｐを排紙トレイ２９に排出する。
【００１９】
次に、画像読み取り部３の構成について説明する。画像読み取り部３は、第１スライダー３１、第２スライダー３２、結像レンズ３３、ＣＣＤ３４、プラテンガラス３５、段差シート３６、すくい上げガイド３７、プラテンガラス３８、モーター３９及び制御部４０を備える。第１スライダー３１は、露光ランプ４１及び第１ミラー４２を含む。第２スライダー３２は、第２ミラー４３及び第３ミラー４４を含む。
【００２０】
プラテンガラス３５は、読み取り位置Ａを搬送される原稿Ｐ側に位置する第１の主面ｓ１と、該第１の主面ｓ１と対向する第２の主面ｓ２とを備えた透明板である。
【００２１】
露光ランプ４１、第１ミラー４２、第２ミラー４３、第３ミラー４４、結像レンズ３３及びＣＣＤ３４は、読み取り位置Ａを搬送される原稿Ｐの画像を光学的に読み取る読み取り手段としての役割を果たす。具体的には、露光ランプ４１は、第２の主面ｓ２側に配置され、読み取り位置Ａに対して光を照射する役割を果たし、例えば、蛍光灯により実現される。第１ミラー４２、第２ミラー４３及び第３ミラー４４は、第２の主面ｓ２側に配置され、読み取り位置Ａに搬送されてきた原稿Ｐで反射した光を結像レンズ３３へと導く役割を果たす。具体的には、第１ミラー４２は、読み取り位置Ａに搬送されてきた原稿面で反射した光を図１の左方向へと反射する。第２ミラー４３は、第１ミラー４２が反射した光を図１の下方向へと反射する。第３ミラー４４は、第２ミラー４３が反射した光を図１の右方向へと反射する。
【００２２】
結像レンズ３３は、第２の主面ｓ２側に配置され、第１ミラー４２、第２ミラー４３及び第３ミラー４４により反射されてきた光を、ＣＣＤ３４に結像する役割を果たす。ＣＣＤ３４は、第２の主面ｓ２側に配置され、主走査方向に延びる一ライン分の受光領域を有し、走査方向に延びる一ライン分の画像データを撮像でき、読み取り位置Ａを通過する原稿Ｐにおいて反射した光に基づいて、原稿Ｐの画像を撮像する撮像手段としての役割を果たす。更に、ＣＣＤ３４は、結像レンズ３３により結像された原稿の画像をデジタルの画像データに変換する。
【００２３】
第１スライダー３１及び第２スライダー３２は、搬送方向に平行移動することができる。第１スライダー３１の移動速度は、第２スライダー３２の移動速度の２倍である。これにより、第１スライダー３１及び第２スライダー３２が移動しても、読み取り位置ＡからＣＣＤ３４までの光学距離が変化しないようにしている。モーター３９は、第１スライダー３１及び第２スライダー３２を移動させて、読み取り位置Ａを搬送方向に移動させる移動手段としての役割を果たす。
【００２４】
ここで、読み取り位置Ａ近傍の構成について、図２を用いてより詳細に説明する。図２は、読み取り位置Ａ近傍における画像読み取り装置１の構成を示した図である。
【００２５】
プラテンガラス３５の周囲には、読み取りガイド５１、及び、読み取り位置Ａを通過した原稿Ｐを上方向にすくい上げるためのすくい上げガイド３７が配置されている。更に、搬送中の原稿Ｐがプラテンガラス３５に直接触れないようにするために、段差シート３６が、読み取り位置Ａよりも上流側において、プラテンガラス３５の原稿Ｐ側の面上に段差部Ｃが形成されるように設けられる。これにより、段差シート３６のエッジ部である段差部Ｃは、読み取り位置Ａよりも上流側に設けられると共に、プラテンガラス３５の原稿Ｐ側の面よりも高い面（段差シート３６の上面）を形成するようになる。
【００２６】
この画像読み取り装置１において、読み取り前ローラ対２５及び読み取り後ローラ対２７によって段差シート３６の上面を滑りながら右方向へ搬送される原稿Ｐは、段差シート３６の厚みによって読み取り位置Ａを所定の高さを有してプラテンガラス３５とは非接触状態で搬送され、原稿の画像がプラテンガラス３５を通して読み取り手段により読み取られる。原稿面とプラテンガラス３５との間には隙間が存在するため、修正液などの粘着性異物がプラテンガラス３５に付着することが抑制される。
【００２７】
ところで、画像読み取り装置１では、検知が困難であった紙粉等の白いゴミＤを検知可能とするために、プラテンガラス３５の第１の主面ｓ１側に面状光源３０が設けられている。より詳細には、面状光源３０は、プラテンガラス３５の第１の主面ｓ１と対向するように、原稿搬送部２に取り付けられている。該面状光源３０は、原稿Ｐがプラテンガラス３５の第１の主面ｓ１上に存在しない状態において、プラテンガラス３５に対して光を照射する。該面状光源３０は、例えば、有機ＥＬ素子や無機ＥＬ素子により実現される。
【００２８】
面状光源３０が照射した光は、プラテンガラス３５を透過する。この際、図２に示すように、プラテンガラス３５の読み取り位置Ａ上にゴミＤが存在すると、面状光源３０が照射した光の一部は、ゴミＤにより吸収される。その結果、プラテンガラス３５には、ゴミＤの黒い影が形成される。
【００２９】
この後、第１ミラー４２、第２ミラー４３及び第３ミラー４４は、プラテンガラス３５を透過した光を結像レンズ３３へと導く役割を果たす。具体的には、第１ミラー４２は、プラテンガラス３５を透過した光を図１の左方向へと反射する。第２ミラー４３は、第１ミラー４２が反射した光を図１の下方向へと反射する。第３ミラー４４は、第２ミラー４３が反射した光を図１の右方向へと反射する。
【００３０】
結像レンズ３３は、第１ミラー４２、第２ミラー４３及び第３ミラー４４により反射されてきた光を、ＣＣＤ３４に結像する役割を果たす。ＣＣＤ３４は、プラテンガラス３５を透過した光により、プラテンガラス３５の読み取り位置Ａにおける主走査方向に延びる一ライン分の画像を撮像する。更に、ＣＣＤ３４は、結像レンズ３３により結像されたプラテンガラス３５の画像を、デジタルの画像データに変換する。
【００３１】
制御部４０は、例えば、ＣＰＵにより構成される。ＣＣＤ３４が撮像したプラテンガラス３５の読み取り位置Ａにおける画像の画像データに基づいて、プラテンガラス３５の読み取り位置Ａ上にゴミＤが存在するか否かを判定する判定手段としての役割を果たす。具体的には、制御部４０は、画像データに対して周知の画像解析を行って、ゴミＤの黒い影が画像データ中に含まれているか否かを判定する。これにより、制御部４０は、白いゴミＤを検知できる。なお、制御部４０は、画像読み取り装置１内に設けられていてもよいし、該画像読み取り装置１が接続されている画像形成装置に設けられていてもよい。
【００３２】
（画像読み取り装置の動作）
以上のように構成された画像読み取り装置１において、以下に、その動作について図面を参照しながら説明する。以下に説明する画像読み取り装置１の動作は、プラテンガラス３５上のゴミ検知動作であり、例えば、画像読み取り装置１の電源の投入時や、原稿Ｐの画像を読み取る直前等に行われる。図３は、ゴミ検知動作において制御部４０が行う動作を示したフローチャートである。
【００３３】
制御部４０は、ゴミ検知動作が開始されると、ＣＣＤ３４にプラテンガラス３５の読み取り位置Ａにおける画像を撮像させる（ステップＳ１）。より詳細には、制御部４０は、原稿搬送部２に原稿Ｐを搬送させることなく、面状光源３０にプラテンガラス３５に対して光を照射させる。これにより、光は、プラテンガラス３５を通過して、第１ミラー４２、第２ミラー４３、第３ミラー４４及び結像レンズ３３を通過して、ＣＣＤ３４へと入射する。ＣＣＤ３４は、この光に基づいて、プラテンガラス３５の読み取り位置Ａにおける主走査方向に延びる一ライン分の画像を撮像して、該画像の画像データを制御部４０へと出力する。
【００３４】
次に、制御部４０は、画像データに対して画像解析を行って、プラテンガラス３５の読み取り位置Ａにおける画像に、ゴミＤの黒い影が含まれているか否かの判定を行う（ステップＳ２）。以下に、該判定について、図４を参照しながら説明する。図４は、読み取り位置Ａにおいて主走査方向に並んだ画素における諧調数を示したグラフである。横軸は、読み取り位置Ａの主走査方向に並んだ画素の位置を示し、縦軸は、諧調数を示す。諧調数が高くなると色が白に近づき、諧調数が低くなると色が黒に近づく。
【００３５】
制御部４０は、ＣＣＤ３４から画像データを取得すると、該画像データの各画素の諧調数を検知する。各画素の諧調数を可視化すると、図４に示すグラフとなる。そして、所定の諧調数よりも低い諧調数の画素が、画像データに含まれている場合には、制御部４０は、プラテンガラス３５の画像にゴミＤの黒い影が含まれていると判定する。例えば、前記所定の諧調を２００と設定した場合には、図４では、プラテンガラス３５上の読み取り位置Ａの３箇所にゴミＤが存在していることが理解できる。
【００３６】
ステップＳ２において、ゴミＤの黒い影が含まれていない場合（Ｎｏ）には、本処理は終了する。この場合、制御部４０は、プラテンガラス３５上の読み取り位置ＡにゴミＤが存在しないと判定し、この後に入力してくる原稿Ｐの読み取り指示を受付ける。一方、ステップＳ２において、ゴミＤの黒い影が含まれている場合（Ｙｅｓ）には、本処理はステップＳ３に進む。
【００３７】
ゴミＤの黒い影が含まれている場合には、制御部４０は、プラテンガラス３５の読み取り位置ＡにゴミＤが存在すると判定し、モーター３９を駆動して、第１スライダー３１及び第２スライダー３２を搬送方向に移動させる（ステップＳ３）。これにより、読み取り位置Ａも、搬送方向に移動する。ステップＳ３における読み取り位置Ａの搬送方向への移動量は、例えば、１２画素分程度であることが好ましい。これは、移動量が小さすぎると、ステップＳ２において検知したゴミＤが再度検知されてしまうおそれがあるからである。また、移動量が大きすぎると、読み取り位置Ａが、プラテンガラス３５からはみ出してしまうからである。ステップＳ３の後、本処理はステップＳ１に戻る。この後、制御部４０は、ゴミＤを検知しなくなるまで、ステップＳ１〜ステップＳ３の動作を繰り返す。これにより、ゴミＤが存在しない位置に読み取り位置Ａを設定することが可能となる。
【００３８】
（効果）
以上のように、画像読み取り装置１によれば、プラテンガラス３５の第１の主面ｓ１側から光を照射することにより、プラテンガラス３５の読み取り位置Ａ上にゴミＤが存在する場合には、ゴミＤは、プラテンガラス３５上に黒い影を形成する。したがって、画像読み取り装置１は、白いゴミＤがプラテンガラス３５の読み取り位置Ａ上に存在する場合であっても、白いゴミＤの影を検知することにより、該白いゴミＤの存在を検知することが可能となる。
【００３９】
また、画像読み取り装置１は、プラテンガラス３５の読み取り位置Ａ上においてゴミＤを検知した場合には、読み取り位置Ａを移動させている。そのため、画像読み取り装置１では、ゴミＤが読み取り位置Ａ上に存在しない状態で、原稿Ｐの画像を読み取ることが可能となる。
【００４０】
また、面状光源３０は、平面形状光源であるので、読み取り位置Ａが移動しても、光の入射角が変化しない。そのため、画像読み取り装置１において、安定したゴミＤの検知精度を得ることができる。
【００４１】
（変形例）
なお、本発明に係る画像読み取り装置は前記実施形態に限定するものではなく、その要旨の範囲内で変更することができる。以下に、変形例に係る画像読み取り装置について図面を参照しながら説明する。変形例に係る画像読み取り装置の構成は、第１の実施形態に係る画像読み取り装置１の構成と同じであるので、説明を省略する。
【００４２】
変形例に係る画像読み取り装置１は、ゴミ検知動作において、モーター３９に第１スライダー３１及び第２スライダー３２を移動させて、読み取り位置Ａを移動させつつ、プラテンガラス３５の画像を撮像することにより、プラテンガラス３５の全体画像を撮像する。そして、該画像読み取り装置１は、プラテンガラス３５の全体の画像に基づいて、最もゴミＤが少ない位置を読み取り位置Ａに設定する。以下に、変形例に係る画像読み取り装置１のゴミ検知動作について図面を参照しながら説明する。図５は、ゴミ検知動作において制御部４０が行う動作を示したフローチャートである。
【００４３】
制御部４０は、ゴミ検知動作が開始されると、モーター３９を駆動して、プラテンガラス３５の最も上流側に読み取り位置Ａが位置するように、第１スライダー３１及び第２スライダー３２を移動させる。次に、制御部４０は、ＣＣＤ３４にプラテンガラス３５の読み取り位置Ａにおける画像を撮像させる（ステップＳ１１）。ステップＳ１１において画像読み取り装置１が行う動作は、図３のステップＳ１と同じであるので説明を省略する。
【００４４】
次に、制御部４０は、プラテンガラス３５の撮像を全て終了したか否かを判定する（ステップＳ１２）。より詳細には、制御部４０は、読み取り位置Ａがプラテンガラス３５の最も下流側まで移動させたか否かを判定する。プラテンガラス３５の撮像を全て終了していない場合（Ｎｏ）には、本処理はステップＳ１３に進む。一方、プラテンガラス３５の撮像を全て終了した場合（Ｙｅｓ）には、本処理はステップＳ１４に進む。
【００４５】
プラテンガラス３５の撮像を全て終了していない場合には、制御部４０は、モーター３９を駆動して、第１スライダー３１及び第２スライダー３２を搬送方向の下流側に所定量だけ移動させる（ステップＳ１３）。これにより、読み取り位置Ａも、所定量だけ搬送方向に移動する。ステップＳ１３の後、本処理はステップＳ１１に戻る。この後、制御部４０は、読み取り位置Ａがプラテンガラス３５の最も下流側に位置するまで、ステップＳ１１〜ステップＳ１３の動作を繰り返す。これにより、制御部４０は、プラテンガラス３５の略全面の画像データを取得できる。
【００４６】
前記ステップＳ１４において、制御部４０は、画像データに基づいて、読み取り位置Ａを決定する（ステップＳ１４）。ステップＳ１４で行われる処理は、以下の通りである。まず、制御部４０は、画像データに対して画像解析を行って、プラテンガラス３５の全面の画像にゴミＤの黒い影が含まれているか否かの判定を行う。ステップＳ１４における該判定は、図３のステップＳ２において制御部４０が行う判定と略同じである。ただし、ステップＳ２では、主走査方向の一ライン分の画像データに対して画像解析が行われていたのに対して、ステップＳ１４では、プラテンガラス３５全体の画像に対して画像解析が行われる。次に、制御部４０は、プラテンガラス３５の内、最もゴミＤが少ない位置を特定し、該位置を読み取り位置Ａに決定する。この後、本処理はステップＳ１５に進む。
【００４７】
次に、制御部４０は、第１スライダー３１及び第２スライダー３２をモーター３９により移動させて、ステップＳ１４において特定した最もゴミＤが少ない位置に読み取り位置Ａを移動させる（ステップＳ１５）。これにより、ゴミＤが最も少ない位置に読み取り位置Ａを設定することが可能となる。
【００４８】
なお、ステップＳ１１〜ステップＳ１３において、プラテンガラス３５全体の画像を撮像しているが、画像の撮像範囲はこれに限らない。画像読み取り装置１は、少なくとも、プラテンガラス３５の内、撮像に利用可能な範囲全体の画像を撮像すれば足りる。
【００４９】
なお、シートスルー方式の画像読み取り装置１について説明を行ったが、面状光源３０は、プラテンセット方式の画像読み取り装置に対しても、適用可能である。プラテンセット方式の画像読み取り装置に面状光源３０を取り付ける場合には、図１において、プラテンガラス３８に対向するように原稿搬送部２に面状光源３０を取り付ける必要がある。
【図面の簡単な説明】
【００５０】
【図１】本発明の一実施形態である画像読み取り装置の構成図である。
【図２】読み取り位置近傍における画像読み取り装置の構成を示した図である。
【図３】ゴミ検知動作において制御部が行う動作を示したフローチャートである。
【図４】読み取り位置における主走査方向に並んだ各画素における諧調数を示したグラフである。
【図５】ゴミ検知動作において制御部が行う動作を示したフローチャートである。
【図６】従来のシートスルー方式の画像読み取り装置の構成図である。
【図７】読み取り画像例に示した図である。
【符号の説明】
【００５１】
１  画像読み取り装置
２  原稿搬送部
３  画像読み取り部
３０  面状光源
３１  第１スライダー
３２  第２スライダー
３５，３８  プラテンガラス
３９  モーター
４０  制御部
４２  第１ミラー
４３  第２ミラー
４４  第３ミラー
Ａ    読み取り位置
Ｄ  ゴミ
Ｐ  原稿
ｓ１  第１の主面
ｓ２  第２の主面
【図１】
2009111812.tif 000003
【図２】
2009111812.tif 000004
【図３】
2009111812.tif 000005
【図４】
2009111812.tif 000006
【図５】
2009111812.tif 000007
【図６】
2009111812.tif 000008
【図７】
2009111812.tif 000009